(57)【要約】【課題】ゴムリングの組み付け作業性を向上させる。【解決手段】本発明は、相手側コネクタと嵌合可能な防水コネクタ１０であって、アウタハウジング４０と、このアウタハウジング４０に対して前側から組み付けられたインナハウジング３０とを備え、インナハウジング３０の外周面には、同外周面から外側へ突出する突部３６が設けられるとともに、同外周面にはゴムリング７０が嵌着され、このゴムリング７０は、インナハウジング３０の外周面のうち突部３６よりも前側に嵌着可能な略筒状をなすシール部７１と、このシール部７１から突部３６に向けて延設されたゴムリング係止部７２とを備えて構成され、インナハウジング３０をアウタハウジング４０に組み付ける途上においては、ゴムリング係止部７２が突部３６に対して嵌合方向に係止することによりシール部７１がインナハウジング３０に対して仮係止状態で保持されている構成としたところに特徴を有する。【選択図】図２
2012089299.tif 000002
【特許請求の範囲】
【請求項１】
相手側コネクタと嵌合可能な防水コネクタであって、
アウタハウジングと、このアウタハウジングに対して前記相手側コネクタとの嵌合方向前側から組み付けられたインナハウジングとを備え、
前記インナハウジングの外周面には、同外周面から外側へ突出する突部が設けられるとともに、同外周面にはゴムリングが嵌着され、このゴムリングは、前記インナハウジングの外周面のうち前記突部よりも前記嵌合方向前側に嵌着可能な略筒状をなすシール部と、このシール部から前記突部に向けて延設されたゴムリング係止部とを備えて構成され、
前記インナハウジングを前記アウタハウジングに組み付ける途上においては、前記ゴムリング係止部が前記突部に対して前記嵌合方向に係止することにより前記シール部が前記インナハウジングに対して仮係止状態で保持されていることを特徴とする防水コネクタ。
【請求項２】
前記インナハウジングを前記アウタハウジングに組み付けた状態では、前記ゴムリング係止部が前記突部と前記アウタハウジングとの間で挟み込まれることにより前記シール部が前記インナハウジングに対して本係止状態で保持されていることを特徴とする請求項１に記載の防水コネクタ。
【請求項３】
前記アウタハウジングには、前記突部よりも前記嵌合方向後側に配される後壁が設けられており、前記本係止状態では、前記ゴムリング係止部のうち前記突部よりも前記嵌合方向後側の部分が前記突部と前記後壁との間で前記嵌合方向から挟み込まれていることを特徴とする請求項２に記載の防水コネクタ。
【請求項４】
前記ゴムリング係止部は、前記突部に対して前記嵌合方向と交差する方向から嵌合可能な嵌合凹部を有していることを特徴とする請求項１ないし請求項３のいずれか一項に記載の防水コネクタ。
【請求項５】
前記ゴムリング係止部は、前記嵌合方向と交差する方向から前記インナハウジングを挟み込む位置に少なくとも一対が設けられていることを特徴とする請求項１ないし請求項４のいずれか一項に記載の防水コネクタ。
【発明の詳細な説明】
【技術分野】
【０００１】
本発明は、相手側コネクタと嵌合可能な防水コネクタに関する。
【背景技術】
【０００２】
この種の防水コネクタとしては、例えば特許文献１に記載のものが知られている。この防水コネクタは合成樹脂製のハウジングを有し、このハウジングは、端子金具が保持されたインナハウジングと、このインナハウジングの外周に、所定の間隔を空けて配置されたアウタハウジングとから構成されている。一方、相手側コネクタは前方に開口するフード部を有し、防水コネクタとの嵌合に伴ってフード部がインナハウジングとアウタハウジングとの間に嵌合するようになっている。
【０００３】
また、インナハウジングの外面には環状のゴムリングが嵌着されている。このゴムリングにはゴムリング係止部が後方に突出して設けられている。このゴムリング係止部は、ハウジングの奥壁に設けられた貫通孔に挿入可能とされている。ゴムリング係止部は、弾性変形しながら貫通孔に進入し、正規の挿入位置に至ると弾性復帰して貫通孔の開口縁部に対して後方から係止する。これにより、ゴムリングがハウジングに対して固定されるようになっている。
【先行技術文献】
【特許文献】
【０００４】
【特許文献１】特開２００６−１５６０８１号公報
【発明の概要】
【発明が解決しようとする課題】
【０００５】
しかしながら、上記したゴムリングをインナハウジングに装着するにあたっては、組み付け治具などを用いてゴムリング係止部をハウジングの奥壁に向けて押し込んでやる必要があり、組み付け作業性がよくない。このため、作業者による組み付け作業のバラツキが大きくなり、例えばゴムリング係止部が貫通孔を完全に貫通しない状態で組み付け治具による押し込み作業を止めてしまった場合には不完全な係止状態となってゴムリングの保持力が低下することも考えられる。
【０００６】
本発明は上記のような事情に基づいて完成されたものであって、ゴムリングの組み付け作業性を向上させることを目的とする。
【課題を解決するための手段】
【０００７】
本発明は、相手側コネクタと嵌合可能な防水コネクタであって、アウタハウジングと、このアウタハウジングに対して相手側コネクタとの嵌合方向前側から組み付けられたインナハウジングとを備え、インナハウジングの外周面には、同外周面から外側へ突出する突部が設けられるとともに、同外周面にはゴムリングが嵌着され、このゴムリングは、インナハウジングの外周面のうち突部よりも嵌合方向前側に嵌着可能な略筒状をなすシール部と、このシール部から突部に向けて延設されたゴムリング係止部とを備えて構成され、インナハウジングをアウタハウジングに組み付ける途上においては、ゴムリング係止部が突部に対して嵌合方向に係止することによりシール部がインナハウジングに対して仮係止状態で保持されている構成としたところに特徴を有する。
【０００８】
このような構成によると、組み付け治具などを用いることなくゴムリングをインナハウジングに組み付けることができる。また、ゴムリングをインナハウジングに組み付けた状態では、ゴムリング係止部が突部に嵌合して相手側コネクタとの嵌合方向に係止しているため、シール部をインナハウジングに対して仮係止状態で保持することができる。このため、インナハウジングをアウタハウジングに組み付ける途上ではゴムリングをインナハウジングに保持しておく必要がなく、インナハウジングをアウタハウジングにそのまま組み付けることができる。したがって、ゴムリングの組み付け作業性を向上させることができる。
【０００９】
本発明の実施の態様として、以下の構成が好ましい。
インナハウジングをアウタハウジングに組み付けた状態では、ゴムリング係止部が突部とアウタハウジングとの間で挟み込まれることによりシール部がインナハウジングに対して本係止状態で保持されている構成としてもよい。
このような構成によると、インナハウジングをアウタハウジングに組み付けることに伴ってゴムリング係止部が突部とアウタハウジングとの間で挟み込まれ、シール部をインナハウジングに本係止状態で保持することができる。すなわち、両ハウジングでゴムリングを挟み込む構造を採用したことによりシール部をインナハウジングに本係止状態で保持しておくために十分な保持力を得ることができる。
【００１０】
アウタハウジングには、突部よりも嵌合方向後側に配される後壁が設けられており、本係止状態では、ゴムリング係止部のうち突部よりも嵌合方向後側の部分が突部と後壁との間で嵌合方向から挟み込まれている構成としてもよい。
このような構成によると、ゴムリング係止部のうち突部よりも嵌合方向後側の部分を突部と後壁との間で嵌合方向から挟み込むことができる。これにより、シール部をインナハウジングに本係止状態で保持することができる。
【００１１】
ゴムリング係止部は、突部に対して嵌合方向と交差する方向から嵌合可能な嵌合凹部を有している構成としてもよい。
このような構成によると、嵌合凹部を突部に対して相手側コネクタとの嵌合方向と交差する方向から嵌合させることによりシール部をインナハウジングに対して保持することができる。
【００１２】
ゴムリング係止部は、嵌合方向と交差する方向からインナハウジングを挟み込む位置に少なくとも一対が設けられている構成としてもよい。
このような構成によると、少なくとも一対のゴムリング係止部によって嵌合方向と交差する方向からインナハウジングを挟み込むように保持することができるため、ゴムリング係止部による保持力を向上させることができる。
【発明の効果】
【００１３】
本発明によれば、ゴムリングの組み付け作業性を向上させることができる。
【図面の簡単な説明】
【００１４】
【図１】実施形態における防水コネクタの正面図
【図２】図１におけるＡ−Ａ線断面図
【図３】アウタハウジングの正面図
【図４】インナハウジングの正面図
【図５】ゴムリングをインナハウジングに対して前側から装着する様子を示した図
【発明を実施するための形態】
【００１５】
＜実施形態＞
本発明の実施形態を図１ないし図５の図面を参照しながら説明する。本実施形態における防水コネクタ１０は、図１に示すように、端子金具２０を内部に収容してなるインナハウジング３０と、このインナハウジング３０を囲むようにしてその外周側に配置されたアウタハウジング４０と、相手側コネクタ（図示せず）との嵌合作業および離脱作業を補助する倍力機構としてのスライドレバー５０とを備えて構成されている。なお、以下において前後方向とは図１における紙面と直交する方向を基準として相手側コネクタとの嵌合面側を前側とし、また、上下方向および左右方向については図１を基準として説明する。
【００１６】
端子金具２０は、図２に示すように、角筒状をなす接続部２１を有し、この接続部２１の後方にワイヤバレル部２２、インシュレーションバレル部２３がこの順に配置された構成である。この端子金具２０は、電線Ｗの端末部分に接続されており、端子金具２０の後方に連なる位置には、ゴム栓６０が電線Ｗの外周面に被着されている。
【００１７】
接続部２１は、前後方向に貫通する形態をなし、その前縁から後方に折り返すことによって形成された弾性接触片２４を有している。この弾性接触片２４は、撓み可能に設けられている。相手側コネクタに設けられた雄型の相手側端子金具は、両コネクタ１０の嵌合に伴って接続部２１の前端開口から内部に進入し、弾性接触片２４と弾性的に接触する。これにより、端子金具２０と相手側端子金具が導通可能に接続される。
【００１８】
ワイヤバレル部２２は、電線Ｗの端末にてその絶縁被覆を皮剥きすることにより露出された芯線をかしめ付ける一対のかしめ片を有している。両かしめ片によって電線Ｗの芯線が圧着されることにより、端子金具２０と電線Ｗが導通可能に接続される。
【００１９】
インシュレーションバレル部２３は、ゴム栓６０ともども電線Ｗの絶縁被覆を両側から抱き込むようにして保持する一対の抱持片を有している。両抱持片によってゴム栓６０および電線Ｗの絶縁被覆がともに圧着されることにより、ゴム栓６０が端子金具２０に固着されている。
【００２０】
インナハウジング３０は合成樹脂製であって、図１および図２に示すように、横長のブロック状をなしている。インナハウジング３０の内部には、前後方向に貫通する形態をなす複数のキャビティ３１が形成されている。これらのキャビティ３１は、図４に示すように、小型の端子金具２０を収容する複数の小キャビティと、大型の端子金具２０を収容する複数の大キャビティとを備えて構成され、小キャビティ群の左右両側に、一対の大キャビティがそれぞれ配置されている。
【００２１】
キャビティ３１の内壁には、図２に示すように、端子金具２０の後方への抜け止めを行うランス３２が形成されている。このランス３２は、キャビティ３１の内壁から片持ち状をなして前方に突出する形態をなしている。キャビティ３１の内部構造は、具体的には、接続部２１を収容する前側収容部と、ゴム栓６０および両バレル部２２，２３を収容する後側収容部とからなり、後側収容部が前側収容部よりも大きめに設定されている。
【００２２】
前側収容部の内壁と接続部２１との間には、所定のクリアランスが設けられている。このクリアランスは、接続部２１とランス３２との係止代よりも小さめとされている。したがって、接続部２１を前側収容部に対して容易に挿入することができるとともに、接続部２１のガタツキによって接続部２１とランス３２との係止状態が解除されることはない。
【００２３】
後側収容部は、ゴム栓６０を圧縮状態で内部に収容できる程度の大きさとされている。これにより、ゴム栓６０が後側収容部の内部に収容された状態では、ゴム栓６０が電線Ｗの外周面と後側収容部の内周面とに密着し、キャビティ３１の後方から内部に水が浸入することを規制できる。
【００２４】
インナハウジング３０の外面における幅方向両側には、図５に示すように、一対の係止片３３が設けられている。両係止片３３は、アウタハウジング４０の内面における幅方向両側に設けられた被係止部４１に対して前後方向に係止可能とされている。インナハウジング３０をアウタハウジング４０に対して嵌合方向前側から組み付けると、両係止片３３が両被係止部４１に係止することにより、インナハウジング３０がアウタハウジング４０に対して抜け止め状態に保持される。
【００２５】
なお、インナハウジング３０の内部には、リテーナ３４が装着されている。このリテーナ３４は格子状をなし、端子金具２０のキャビティ３１への進入を許容する仮係止位置と、ランス３２とともに端子金具２０の抜け止めを行う本係止位置との間を移動可能とされている。リテーナ３４は、同リテーナ３４を本係止位置に保持するための一対の取付脚部３４Ａを備えており、両取付脚部３４Ａは、インナハウジング３０に設けられたリテーナ係止部３４Ｂに対して上下方向に係止可能とされている。
【００２６】
インナハウジング３０の外周面には、図４に示すように、奥壁３５が周設されている。この奥壁３５は、図１に示すように、インナハウジング３０とアウタハウジング４０との間に形成された空間Ｓの後端部分を構成している。この空間Ｓには、相手側コネクタに設けられたフード部（図示せず）が進入可能とされている。また、奥壁３５は、インナハウジング３０の後端部寄りに配置されている。
【００２７】
インナハウジング３０の上下両面には、一対の突部３６がそれぞれ設けられている。両突部３６は、左右方向の両端部寄りにそれぞれ配置されている。また、各突部３６は、図５に示すように、奥壁３５の一部を切り欠くことで形成され、左右方向において両係止片３３と対応する位置に配置されている。
【００２８】
各突部３６は、詳細には図４に示すように、インナハウジング３０の上下両面から段付き状に上下二段で構成されており、その基端側３６Ａが奥壁３５に連結され、その先端側３６Ｂが奥壁３５とは非接触でかつ奥壁３５の突出端を超えない高さ範囲内で基端側３６Ａから上下方向に突出して形成されている。
【００２９】
アウタハウジング４０は合成樹脂製であって、図３に示すように、左右方向に長い略方形をなす外形を有し、かつ、前後方向に貫通する角筒状をなしている。すなわち、アウタハウジング４０の内部には、左右方向に長い長孔形状をなすハウジング装着孔４２が形成されており、このハウジング装着孔４２の内部にインナハウジング３０が装着可能とされている。前記した一対の被係止部４１は、ハウジング装着孔４２の内壁における左右両側にはそれぞれ設けられている。したがって、インナハウジング３０の係止片３３がアウタハウジング４０の被係止部４１に対して前後方向に係止することにより、インナハウジング３０がハウジング装着孔４２の内部に保持される。
【００３０】
アウタハウジング４０における上下両側には、一対のレバー収容部４３が設けられている。ここで、スライドレバー５０の構成を簡単に説明すると、スライドレバー５０は、操作部５１の両端から一対のカム板５２を対向状態で立ち上げることで構成され、全体として略門形をなしている。操作部５１は、図１に示すように、スライドレバー５０がアウタハウジング４０に対して完全に押し込まれた状態ではアウタハウジング４０の外側面に沿って配置されるようになっている。一方、両カム板５２は、図２に示すように、両レバー収容部４３の内部にそれぞれ収容されている。
【００３１】
カム板５２には、相手側コネクタに設けられたカムピン（図示せず）を内部に収容可能とするカム溝（図示せず）が弧状をなして凹設されており、カムピンとカム溝の係合に基づくカム作用によって両コネクタ１０が嵌合、離脱するようになっている。また、カム板５２には、インナハウジング３０の上下両面に設けられた一対の保持ピン３７を内部に収容可能とする保持溝（図示せず）が直線状をなして凹設されており、両コネクタ１０の嵌合、離脱の際にインナハウジング３０がアウタハウジング４０に対して前後方向に移動することを規制している。
【００３２】
また、アウタハウジング４０のハウジング装着孔４２の内壁のうち突部３６と対向する部分は対向壁４４とされている。対向壁４４は、レバー収容部４３の一部を構成している。対向壁４４は、両レバー収容部４３に対応して上下二箇所に配置されている。対向壁４４の一部には、前後方向に切り欠くことで前後方向に延びるガイド溝４５が凹設されている。このガイド溝４５は全部で４つ設けられており、図３に示すように、ハウジング装着孔４２の上側における左右二箇所と、下側における左右二箇所とに配置されている。これらのガイド溝４５は、ハウジング装着孔４２側と前側とに開口する形態とされている。一方、ガイド溝４５の後端位置は、図２に示すように、突部３６よりも前側とされている。すなわち、ガイド溝４５は、突部３６と対向する位置に対向壁４４を残しつつ、その対向壁４４の前方に形成されている。
【００３３】
さらに、対向壁４４の後端には、突部３６を回り込むようにしてインナハウジング３０に向けて張り出す後壁４６が設けられている。この後壁４６は、図３に示すように、アウタハウジング４０のハウジング装着孔４２の内面に沿って周方向に長く延びており、アウタハウジング４０の四隅に対応して４箇所に分離して配置されている。
【００３４】
さて、図２に示すように、本実施形態においては、インナハウジング３０の外周面にゴムリング７０が装着されており、このゴムリング７０をインナハウジング３０に対して仮係止状態で保持できるようになっている。ゴムリング７０は、インナハウジング３０の外周面に嵌着されたシール部７１と、突部３６に嵌合して前後方向に係止することでシール部７１を保持可能なゴムリング係止部７２とを一体に備えて構成されている。
【００３５】
シール部７１は略筒状をなし、突部３６よりも前側に配置されている。また、シール部７１は複数のリップを有し、これらのリップは、両コネクタ１０が嵌合した状態においてインナハウジング３０の外周面と相手側コネクタのフード部の内周面とに密着している。これにより、両コネクタ１０間が防水され、インナハウジング３０の内部への浸水が規制されるようになっている。
【００３６】
ゴムリング係止部７２は、各突部３６に対応して４箇所に配置されている。また、ゴムリング係止部７２は、図５に示すように、シール部７１の後端から後方に向けて（突部３６に向けて）延出する形態で設けられている。詳細には、ゴムリング係止部７２は、図２に示すように、突部３６に対して上下方向から嵌合可能な嵌合凹部７３を有しており、嵌合状態では嵌合凹部７３が突部３６に対して前後方向および幅方向に係止することにより、シール部７１がインナハウジング３０に対して仮係止状態で保持されるようになっている。
【００３７】
また、ゴムリング係止部７２は、インナハウジング３０の上下両側に配置されており、インナハウジング３０を上下方向から挟み込むようにして組み付けられている。したがって、仮係止状態におけるゴムリング係止部７２による保持力を高めることができる。この仮係止状態におけるゴムリング係止部７２による保持力は、インナハウジング３０をアウタハウジング４０に対して前側から装着する際に、ゴムリング７０がインナハウジング３０から外れない程度に設定されている。このため、インナハウジング３０をアウタハウジング４０にそのまま組み付けるだけでゴムリング７０の組み付けを完了させることができる。換言すると、インナハウジング３０をアウタハウジング４０に組み付けた後に、組み付け治具などを用いてゴムリング７０をインナハウジング３０に組み付ける必要がなく、ゴムリング７０の組み付け作業性を格段に向上させることができる。
【００３８】
しかしながら、仮係止状態においてゴムリング７０に対して前後方向に無理な力が加わった場合、ゴムリング係止部７２が上下方向に開くように撓み変形し、嵌合凹部７３が突部３６から離脱することになる。このため、ゴムリング７０を本係止状態で保持しておくためには、ゴムリング係止部７２の開き方向への変位を規制してやる必要がある。
【００３９】
そこで、本実施形態では、図２に示すインナハウジング３０をアウタハウジング４０に組み付けた状態においてゴムリング係止部７２の撓み領域に対向壁４４が配置されており、この対向壁４４と突部３６との間でゴムリング係止部７２が上下方向から挟み込まれるようになっている。さらに、ゴムリング係止部７２のうち突部３６よりも後側の部分は、突部３６と後壁４６との間で前後方向から挟み込まれるようになっている。つまり、対向壁４４と後壁４６をそれぞれゴムリング係止部７２の撓み領域に配置したことによって、ゴムリング係止部７２の嵌合凹部７３が突部３６から離脱することを確実に規制できるようになっている。
【００４０】
これらに加えて、インナハウジング３０の保持ピン３７がカム板５２の保持溝に嵌り込んでおり、インナハウジング３０の前後方向における位置が固定されているため、ゴムリング係止部７２の嵌合凹部７３が突部３６から離脱可能な位置までインナハウジング３０が前方に位置ずれするおそれもない。
【００４１】
本実施形態は以上のような構成であって、続いてその作用を説明する。まず、ゴムリング７０をインナハウジング３０の外周面に嵌着し、ゴムリング係止部７２の嵌合凹部７３を突部３６に嵌合させる。これにより、ゴムリング７０がインナハウジング３０に対して仮係止状態で保持される。この状態では、インナハウジング３０をアウタハウジング４０に組み付ける途上においてゴムリング７０が位置ずれするおそれがなく、インナハウジング３０の組み付け作業を円滑に行うことができる。したがって、インナハウジング３０をアウタハウジング４０にそのまま組み付けるだけでゴムリング７０の組み付けが完了し、組み付け治具などを使用しなくてもよいため、ゴムリング７０の組み付け作業性を向上させることができる。
【００４２】
インナハウジング３０の組み付けが完了すると、ゴムリング係止部７２が突部３６と対向壁４４との間で上下方向から挟み込まれ、かつ、ゴムリング係止部７２のうち突部３６よりも後側の部分が突部３６と後壁４６との間で前後方向から挟み込まれた状態となる。この状態では、ゴムリング７０がインナハウジング３０に対して本係止状態で保持されているため、両コネクタ１０嵌合の際に相手側コネクタのフード部によってゴムリング７０が後方に押し込まれたり、あるいは離脱の際にフード部とともにゴムリング７０が前方に連れ戻されたりすることを規制できる。
【００４３】
次に、アウタハウジング４０の両レバー収容部４３に、スライドレバー５０の両カム板５２を挿入し、スライドレバー５０を初期位置にセットする。この状態では、カム板５２のカム溝がカムピンを受け入れ可能な位置に配置されており、両コネクタ１０を浅く嵌合させると、相手側コネクタのカムピンがカム溝の入口に進入する。そして、スライドレバー５０を初期位置から嵌合位置へ押し込むと、カムピンがカム溝に沿ってその終端側へ移動し、これに伴って相手側コネクタが防水コネクタ１０側に引き寄せられることで、両コネクタ１０が正規嵌合に至る。この間、保持ピン３７が保持溝に嵌合しているため、インナハウジング３０を定位置に保持することができ、ひいてはゴムリング７０を定位置に保持することができる。
【００４４】
以上のように本実施形態では、ゴムリング係止部７２の嵌合凹部７３を突部３６に対して上下方向から嵌合させ、ゴムリング係止部７２を突部３６に対して前後方向に係止させるようにしたから、インナハウジング３０をアウタハウジング４０に装着する前においてシール部７１を仮係止状態で保持することができる。この結果、インナハウジング３０をアウタハウジング４０に組み付けた後に組み付け治具などでゴムリング７０をインナハウジング３０に対して押し込む必要がなく、インナハウジング３０をアウタハウジング４０に組み付ける作業だけで、ゴムリング７０の組み付け作業を完了させることができる。したがって、ゴムリング７０の組み付け作業性を向上させることができる。
【００４５】
また、インナハウジング３０をアウタハウジング４０に組み付けた状態では、ゴムリング係止部７２が突部３６と対向壁４４とによって上下方向から挟み込まれるとともに、ゴムリング係止部７２のうち突部３６よりも後側の部分が突部３６と後壁４６とによって前後方向から挟み込まれることにより、シール部７１を本係止状態で保持することができる。したがって、両コネクタ１０を嵌合させる途上において相手側コネクタのフード部によってゴムリング７０が後方に押し込まれたり、両コネクタ１０を離脱させる途上において相手側コネクタのフード部とともにゴムリング７０が連れ戻されたりするおそれがない。
【００４６】
さらに、ゴムリング係止部７２をインナハウジング３０の上下両側にそれぞれ配置しているため、これらのゴムリング係止部７２によって両突部３６を上下両側から挟み込むことができ、ゴムリング係止部７２による保持力を向上させることができる。
【００４７】
＜他の実施形態＞
本発明は上記記述及び図面によって説明した実施形態に限定されるものではなく、例えば次のような実施形態も本発明の技術的範囲に含まれる。
（１）上記実施形態では両コネクタ１０を嵌合させた状態においてゴムリング係止部７２が突部３６と対向壁４４との間に挟み込まれることでシール部７１が本係止状態で保持されているものの、本発明によると、シール部７１の本係止を行う係止部をゴムリング係止部７２とは別に設けてもよい。
【００４８】
（２）上記実施形態ではゴムリング係止部７２をインナハウジング３０の突部３６とアウタハウジング４０との間で挟み込む係止方法を採用しているものの、本発明によると、ゴムリング係止部７２を必ずしも挟み込む必要はなく、インナハウジング３０に対して前後方向に係止可能な構成であれば他の係止方法を採用してもよい。
【００４９】
（３）上記実施形態では突部３６に嵌り込む嵌合凹部７３をゴムリング係止部７２に設けているものの、本発明によると、突部３６に貫通する貫通孔をゴムリング係止部に設けてもよい。
【００５０】
（４）上記実施形態ではゴムリング係止部７２がインナハウジング３０の上下両側に設けられているものの、本発明によると、ゴムリング係止部をインナハウジング３０の上側のみに設けてもよい。
【００５１】
（５）上記実施形態では両コネクタ１０の嵌合、離脱を行わしめる倍力機構としてスライドレバー５０を用いているものの、本発明によると、倍力機構として回動式のレバーを用いてもよい。あるいは倍力機構が設けられていないコネクタに本発明を適用してもよい。
【符号の説明】
【００５２】
１０…防水コネクタ
３０…インナハウジング
３６…突部
４０…アウタハウジング
４４…対向壁
４６…後壁
７０…ゴムリング
７１…シール部
７２…ゴムリング係止部
７３…嵌合凹部
【図１】
2012089299.tif 000003
【図２】
2012089299.tif 000004
【図３】
2012089299.tif 000005
【図４】
2012089299.tif 000006
【図５】
2012089299.tif 000007